(57)【要約】【課題】振動板に逆共振が生じた場合でも、ボイスコイルと電気的に接続された配線が断線に至るのを防止することが可能なスピーカー装置を提供する。【解決手段】スピーカー装置は、振動板と、その振動板を駆動する平面状のボイスコイルとを有する。振動板は、断面円弧状の第１の放音部と、第１の放音部より径方向の長さ及び曲率半径が大きい断面円弧状の第２の放音部とを含む。ボイスコイルは、音響放射方向に対して略平行な方向に配置される。ボイスコイルのリード線は、ボイスコイルが形成する平面に対して略垂直な方向に、且つ第１の放音部を横断する方向に引き出されている。これにより、振動板に逆共振が発生した場合でも、リード線は第１の放音部及びボイスコイルと共に同一の方向に振動するため、ボイスコイルからのリード線の引き出し部分に対して剪断力が作用せず、リード線が断線に至るようなことはない。【選択図】図１
2008109565.tif 000002
【特許請求の範囲】
【請求項１】
振動板と、前記振動板を駆動する平面状のボイスコイルと、を備え、
前記振動板は、円弧状の断面形状を有する第１の放音部と、円弧状の断面形状を有すると共に前記第１の放音部より径方向の長さ及び曲率半径が大きい形状を有する第２の放音部と、を含み、
前記ボイスコイルは、音響放射方向に対して略平行な方向に配置され、
前記ボイスコイルと電気的に接続された配線は、前記ボイスコイルが形成する平面に対して略垂直な方向に、且つ、前記第１の放音部を横断する方向に引き出されていることを特徴とするスピーカー装置。
【請求項２】
前記配線は、前記第１の放音部の径方向に沿って前記振動板の外側へ引き出されていることを特徴とする請求項１に記載のスピーカー装置。
【請求項３】
前記配線は、弛みが付与された状態で前記振動板の外側へ引き出されていることを特徴とする請求項１又は２に記載のスピーカー装置。
【請求項４】
前記音響放射方向に対して逆方向から前記第１の放音部及び前記第２の放音部の各々を投影したときの、前記第２の放音部の長さは前記第１の放音部の長さより大きいことを特徴とする請求項１乃至３のいずれか一項に記載のスピーカー装置。
【請求項５】
前記配線は、一対のプラス用配線及びマイナス用配線を有し、
前記一対のプラス用配線及びマイナス用配線の各々は、前記第１の放音部の各々を横断する方向に、且つ、逆方向又は同一方向に引き出されていることを特徴とする請求項１に記載のスピーカー装置。
【請求項６】
前記振動板は、長方形、角丸四角形又は楕円形の外形形状を有することを特徴とする請求項５に記載のスピーカー装置。
【請求項７】
請求項１乃至６のいずれか一項に記載のスピーカー装置を備えることを特徴とする携帯機器。
【発明の詳細な説明】
【技術分野】
【０００１】
本発明は、携帯機器等に好適に用いることが可能なスピーカー装置の構造に関する。
【背景技術】
【０００２】
近年、導電型のスピーカー装置として、長円状又は楕円状の平面形状を有する振動板を備える長円スピーカー装置が着目されている。このような振動板を有する長円スピーカー装置では、円形の平面形状を有する振動板を備えた一般的なスピーカー装置と比較して、振動板がその長径方向へ広がっている分、短径方向へ広げることなく、その振動板の面積を大きくすることができ、低音再生を向上させることができるという利点を有する。例えば、特許文献１には、そのような構成を有する長円スピーカー装置が記載されている。
【０００３】
この特許文献１に記載のスピーカー装置では、リード線をエッジに沿わせているので、スピーカ動作時においてエッジの振幅を原因とするリード線の断線防止、及び振動系の重量バランス及びコンプライアンスのバランスを取ることによりローリング防止を図ることを目的として、ボイスコイルから引き出されたリード線を、振動板の短径方向に沿ってエッジ表面を横断させるように布線していると共に、弛みを付与している。
【０００４】
なお、この長円スピーカー装置では、振動板の内周縁部には断面Ｕ字状の凹部がリング状に設けられており、その凹部内にはボイスコイルが接着剤によって接着されている。このため、ボイスコイルは音響放射方向に対して略垂直な方向に配置されている。
【０００５】
【特許文献１】特開２００５−２２９２２４号公報
【発明の開示】
【発明が解決しようとする課題】
【０００６】
本発明が解決しようとする課題としては、上記のようなものが例として挙げられる。本発明は、細長形状を有する振動板において、逆共振が生じた場合でもボイスコイルと電気的に接続された配線が断線に至るのを防止することが可能な、当該配線の引き出し構造を備えるスピーカー装置及びそれを用いた携帯機器を提供することを課題とする。
【課題を解決するための手段】
【０００７】
請求項１に記載の発明は、スピーカー装置であって、振動板と、前記振動板を駆動する平面状のボイスコイルと、を備え、前記振動板は、円弧状の断面形状を有する第１の放音部と、円弧状の断面形状を有すると共に前記第１の放音部より径方向の長さ及び曲率半径が大きい形状を有する第２の放音部と、を含み、前記ボイスコイルは、音響放射方向に対して略平行な方向に配置され、前記ボイスコイルと電気的に接続された配線は、前記ボイスコイルが形成する平面に対して略垂直な方向に、且つ、前記第１の放音部を横断する方向に引き出されていることを特徴とする。
【発明を実施するための最良の形態】
【０００８】
本発明の１つの実施形態では、スピーカー装置は、振動板と、前記振動板を駆動する平面状のボイスコイルと、を備え、前記振動板は、円弧状の断面形状を有する第１の放音部と、円弧状の断面形状を有すると共に前記第１の放音部より径方向の長さ及び曲率半径が大きい形状を有する第２の放音部と、を含み、前記ボイスコイルは、音響放射方向に対して略平行な方向に配置され、前記ボイスコイルと電気的に接続された配線は、前記ボイスコイルが形成する平面に対して略垂直な方向に、且つ、前記第１の放音部を横断する方向に引き出されている。
【０００９】
上記のスピーカー装置は、振動板と、その振動板を駆動する平面状のボイスコイルと、を備える。振動板は、円弧状の断面形状を有する第１の放音部と、円弧状の断面形状を有すると共に前記第１の放音部より径方向の長さ及び曲率半径が大きい形状を有する第２の放音部と、を含む。ボイスコイルは、音響放射方向に対して略平行な方向に配置される。
【００１０】
かかるスピーカー装置では、第２の放音部が、第１の放音部と比べて径方向の長さ及び曲率半径が第１の放音部より大きい円弧状の形状を有するので、この振動板の振動時に、第２の放音部は第１の放音部より振動し難い形状となっており、第１の放音部は、その全体に亘って均一に振動され易い一方、第２の放音部は、第１の放音部と比べて剛性及び強度が低く、共振を起こし易い。
【００１１】
そのような理由によって、万が一、第２の放音部に共振が生じた場合、この振動板では、第２の放音部が、第１の放音部より大きな振幅で振動することがあり、さらに、ボイスコイル及び第１の放音部の移動方向に対して１８０［°］だけ位相がずれた逆方向に移動する、「逆共振」現象が生じる。したがって、ボイスコイルと電気的に接続された配線が、第２の放音部を横断する方向に引き出されている場合には、その逆共振による振動が配線にも伝播し、ボイスコイルと配線の電気的な接続部分に剪断力が作用して断線に至る虞がある。
【００１２】
この点、このスピーカー装置では、ボイスコイルと電気的に接続された配線は、そのボイスコイルが形成する平面に対して略垂直な方向に、且つ、第１の放音部を横断する方向に引き出されている。これにより、振動板の振動時に、配線は、第１の放音部及びボイスコイルと共に同一の方向に振動するため、ボイスコイルと配線の電気的な接続部分に剪断力が作用することはなく、配線が断線に至ることはない。よって、振動板に逆共振が生じた場合でも、配線が断線するのを防止できる結果、スピーカー装置の信頼性が向上する。また、配線には逆共振による剪断力が作用しないので、振動板を大きく振動させることができ、ボイスコイルへの入力信号を大きくすることが可能となる。
【００１３】
好適な例では、配線は、ボイスコイルから引き出されたリード線又はボイスコイルと電気的に接続された配線であるのが好ましい。また、前記配線は、前記第１の放音部の径方向に沿って前記振動板の外側へ引き出されているのが好ましい。
【００１４】
上記のスピーカー装置の一つの態様では、前記配線は、弛みが付与された状態で前記振動板の外側へ引き出されている。これにより、振動板が大きく振幅した時でも、配線の疲労による断線が起こり難くなる。
【００１５】
上記のスピーカー装置の他の態様では、前記音響放射方向に対して逆方向から前記第１の放音部及び前記第２の放音部の各々を投影したときの、前記第１の放音部の長さ（ロール幅）ｄ１は、前記第２の放音部の長さ（ロール幅）ｄ２より大きいことが好ましく、ｄ２／ｄ１≧１．５を満たしていることがさらに好ましい。これにより、振動板の全体に亘って均一な振動状態を確保しつつ、最低共振周波数ｆ０の上昇を抑えることができる。
【００１６】
上記のスピーカー装置の他の態様では、前記配線は、一対のプラス用配線及びマイナス用配線を有し、前記一対のプラス用配線及びマイナス用配線の各々は、前記第１の放音部の各々を横断する方向に、且つ、逆方向又は同一方向に引き出されているのが好ましい。ここで、一対のプラス用配線及びマイナス用配線の各々を同一の方向に引き出すことにより、それらの配線を当該同一の方向に束ねられるという利点を有する。
【００１７】
上記のスピーカー装置の他の態様では、前記振動板は、長方形、角丸四角形又は楕円形の外形形状を有するのが好ましい。
【００１８】
本発明の他の実施形態では、上記のスピーカー装置を備える携帯機器（例えば、携帯電話機など）を構成することができる。
【実施例】
【００１９】
以下、図面を参照して本発明の好適な各種の実施例について説明する。
【００２０】
[スピーカー装置の構成]
図１（ａ）は、本発明の実施例に係るスピーカー装置１００を音響放射方向から見た正面図を示す。図１（ｂ）は、音響放射方向に対して逆側から見たスピーカー装置１００の背面図を示す。図１（ｃ）は、スピーカー装置１００の長軸方向（長手方向）Ｌａｘに対応する側面図を示す。図２は、図１（ｂ）に示すスピーカー装置１００の中心軸Ｌ１を通る切断線Ａ−Ａ’に沿った断面図を示す。図３は、スピーカー装置１００の要素であるボイスコイル６を、音響放射方向Ｙ１と略垂直な方向からみた平面図である。図４（ａ）は、スピーカー装置１００の短軸方向（短手方向）Ｓａｘに沿った振動板５の切断面図である。一方、図４（ｂ）は、スピーカー装置１００の長軸方向Ｌａｘに沿った振動板５の切断面図である。なお、本明細書では、音響放射方向Ｙ１をＺ方向と規定し、スピーカー装置１００の長軸方向ＬａｘをＹ方向と規定し、スピーカー装置１００の短軸方向ＳａｘをＸ方向と規定する。
【００２１】
スピーカー装置１００は、携帯電話などの携帯機器用のスピーカー装置として、或いはマイクロスピーカーとして好適に用いられ、主として、一対の第１のプレート１ａ及び１ｂと、一対のマグネット２ａ及び２ｂと、一対の第２のプレート３ａ及び３ｂと、を有する内磁型の磁気回路３０と、フレーム４と、振動板５及びボイスコイル６を有する振動系部材３１と、を備えて構成される。なお、以下では、各マグネット、並びに各第１又は各第２のプレートを区別する場合にはそれぞれ「マグネット２ａ又は第１のプレート１ａ」のように表記すると共に、それらを特に区別しない場合には、「マグネット２又は第１のプレート１」のように表記する。
【００２２】
（磁気回路の構成）
磁気回路３０の構成は次の通りである。
【００２３】
一対の第１のプレート１ａ及び１ｂの各々は直方体状及び角型棒状の形状を有し、その各々は、一定の間隙をおいて対向した状態で配置されている。そして、一対の第１のプレート１ａ及び１ｂの間には、一定の間隙を有する第１の磁気ギャップ７０ａが形成されている。第１の磁気ギャップ７０ａには、後述する一対のマグネット２ａ及び２ｂの磁束が集中している。第１の磁気ギャップ７０ａ内に生じる磁束の方向は、例えば矢印Ｙ２方向に設定されている。
【００２４】
一対のマグネット２ａ及び２ｂの各々は直方体状及び角型棒状の形状を有し、その各々は、一定の間隙をおいて対向した状態で、一対の第１のプレート１ａ及び１ｂの各々の上面に接着剤を介して取り付けられている。
【００２５】
一対の第２のプレート３ａ及び３ｂの各々は直方体状及び角型棒状の形状を有し、その各々は、一定の間隙をおいて対向した状態で、一対のマグネット２ａ及び２ｂの各々の上面に接着剤を介して取り付けられている。そして、一対の第２のプレート３ａ及び３ｂの間には、一定の間隙を有する第２の磁気ギャップ７０ｂが形成されている。第２の磁気ギャップ７０ｂには、一対のマグネット２ａ及び２ｂの磁束が集中している。第２の磁気ギャップ７０ｂ内に生じる磁束の方向は、第１の磁気ギャップ７０ａ内に生じる磁束の方向と相対的に逆向きの矢印Ｙ３方向に設定されていると共に、第２の磁気ギャップ７０ｂと、第１の磁気ギャップ７０ａとに生じる磁力の大きさは相対的に同一の大きさに設定されている。
【００２６】
（フレームの構成）
フレーム４は、環状の形状を有する上面と、前記上面に連なる位置に側面を有し、細長形状に形成されている。なお、フレーム４は、成形加工が容易な樹脂材料にて形成されているのが好ましい。また、フレーム４の長手方向の両端側の側面４ｓには、その側面４ｓに対向する、一対の第１のプレート１ａ及び１ｂ、一対のマグネット２ａ及び２ｂ、並びに、一対の第２のプレート３ａ及び３ｂの各外壁（外面）が接着剤を介して取り付けられ、フレーム４の側面４ｓはそれらの部材を夫々支持する役割を有する。
【００２７】
（振動系部材の構成）
振動系部材３１の構成は次の通りである。
【００２８】
振動板５は、短軸及び長軸を有する細長形状、並びに角丸四角状又は長円状の平面形状を有する。また、振動板５は、凹形状を有し、その短軸方向Ｓａｘの中央位置に配置され、且つその長軸方向Ｌａｘに延在するように設けられたボイスコイル設置部５１と、そのボイスコイル設置部５１の外側に設けられ、音波を放射する役割を担う放音部５２と、その放音部５２の外側に設けられ、フレーム４の上端部側に取り付けられる取付部５３と、を備える。
【００２９】
ボイスコイル設置部５１は、ボイスコイル６を支持するボイスコイル支持部５１ａと、そのボイスコイル支持部５１ａと連なる位置に且つ繋がる位置に設けられたふくらみ部分５１ｂと、を備える。
【００３０】
ボイスコイル設置部５１は、振動板５の中央位置において長軸方向Ｌａｘに延在してなると共に、図２に示すように、振動板５をフレーム４に取り付けた状態では、磁束の延在方向となる矢印Ｙ２方向及び矢印Ｙ３方向と、略直交する方向と平行な方向に延在してなる。ボイスコイル設置部５１の深さは、一対の第１のプレート１ａ及び１ｂの背面側付近からフレーム４の上端部付近までの距離と略同一である。これにより、スピーカー装置１００の薄型化及びスリム化が図られている。
【００３１】
ボイスコイル支持部５１ａは、細長形状及び袋状又はＵ字状の断面形状を有している。
またボイスコイル支持部５１ａは、その延在方向と略直交する方向、即ち振動板５の短軸方向Ｓａｘに一定幅の間隙を有しており、その間隙は直方体状の空間を形成している。かかる間隙の幅（間隙の幅とは、ボイスコイルを通過する磁束の向きにおける、間隙の長さである。）は、磁束密度を高めるために狭く設定される磁気ギャップに対応させて、できる限り小さい値に設定されているのが好ましく、例えば約０.２ｍｍ程度に設定される。図２に示すように、ボイスコイル６は、ボイスコイル支持部５１ａの内側面に挟持された状態で固定され、ボイスコイル支持部５１ａは主としてボイスコイル６を支持する役割を果たす。
【００３２】
ふくらみ部分５１ｂは、短軸方向Ｓａｘにおいてボイスコイル支持部５１ａの間隙よりも大きな間隙を有し、そのふくらみ部分５１ｂの間隙は円柱状の空間を形成している。ふくらみ部分５１ｂは、振動板５の長軸方向Ｌａｘ、即ちボイスコイル設置部５１の延在方向に一定の間隔をおいて設けられている。
【００３３】
放音部５２は、音波を放射する機能を有し、相互に対向する一対の第１の放音部５２ａと、相互に対向する一対の第２の放音部５２ｂと、を備える。一対の第１の放音部５２ａ及び一対の第２の放音部５２ｂは、一体的に形成されている。
【００３４】
第１の放音部５２ａは、円弧状、ロール状若しくは半円状の断面形状を有し、短軸方向Ｓａｘであって且つボイスコイル設置部５１を挟む位置に且つボイスコイル設置部５１と連なる位置に設けられている。
【００３５】
第２の放音部５２ｂは、円弧状、ロール状若しくは半円状の断面形状を有し、長軸方向Ｌａｘに対応するボイスコイル設置部５１の両端側に且つ一対の第１の放音部５２ａと連なる位置に設けられている。
【００３６】
各第２の放音部５２ｂには、その強度を高める為のリブ５２ｂａが設けられている。各リブ５２ｂａは、音響放射方向Ｙ１に凹形状を有すると共に、笹の葉状の平面形状を有し、さらに、各第２の放音部５２ｂの放射方向に延在するように設けられている。
【００３７】
各第２の放音部５２ｂは、径方向の長さが各第１の放音部５２ａより大きな形状を有している。つまり、各第２の放音部５２ｂの長さ（ロール幅）ｄ２は、図１及び図４に示すように、各第１の放音部５２ａの長さ（ロール幅）ｄ１より大きい。ここで、「ロール幅ｄ２」は、図１（ａ）において、Ｚ方向及び音響放射方向Ｙ１と逆方向から各第２の放音部５２ｂを投影したときの、振動板５の長軸方向Ｌａｘに対応する当該各第１の放音部５２ａの長さである。一方、「ロール幅ｄ１」は、図１（ａ）において、Ｚ方向及び音響放射方向Ｙ１と逆方向から各第１の放音部５２ａを投影したときの、振動板５の短軸方向Ｓａｘに対応する当該各第１の放音部５２ａの長さである。好適な例では、各第２の放音部５２ｂのロール幅ｄ２と、各第１の放音部５２ａのロール幅ｄ１との関係は、各第２の放音部５２ｂのロール幅ｄ２が、各第１の放音部５２ａのロール幅ｄ１より大きいことが、振動板５全体において均一な振幅が得られること、および最低周波数ｆ０を低く設定できる点で好ましく、（ｄ２／ｄ１）≧１．５を満たしていることがさらに好ましい。
【００３８】
また、図４に示すように、各第２の放音部５２ｂの曲率半径Ｒ２は、各第１の放音部５２ａの曲率半径Ｒ１より大きい、即ち、Ｒ２＞Ｒ１の関係を満している。なお、図４（ａ）において、「Ｏ１」は、各第１の放音部５２ａの曲率半径Ｒ１の中心であり、図４（ｂ）において、「Ｏ２」は、各第２の放音部５２ｂの曲率半径Ｒ２の中心である。
【００３９】
このように、第２の放音部５２ｂと第１の放音部５２ａとの曲率半径及びロール幅の大きさを異ならせているのは、振動板５の全体に亘って均一な振動状態を確保しつつ、最低共振周波数ｆ０の上昇を抑えるためである。
【００４０】
ボイスコイル６は、一対のプラス用リード線６ｅ及びマイナス用リード線６ｆを有し、図３に示すように長円状又は角丸四角状及び環状（リング状）の平面形状を形成するように巻回されてなり、一方向に延在する第１の平行部６ａと、その第１の平行部６ａと一定の間隙６ｄを置いて対向配置され、第１の平行部６ａと平行な方向に延在する第２の平行部６ｂと、第１の平行部６ａの各端部と、対応する第２の平行部６ｂの各端部とを繋ぐ連結部６ｃと、を有する。ボイスコイル６は、ボイスコイル設置部５１内において音響放射方向Ｙ１と略平行な方向に配置されている。
【００４１】
第１の平行部６ａは、第１の磁気ギャップ７０ａ内に位置していると共に、第２の平行部６ｂは、第２の磁気ギャップ７０ｂ内に位置している。ここで、ボイスコイル６のプラス側のリード線６ｅはＬ（又はＲ）チャンネル信号の入力配線であり、マイナス側のリード線６ｆはグランド（ＧＮＤ：接地）信号の入力配線である。一対のプラス用リード線６ｅ及びマイナス用リード線６ｆは、図示しないアンプ側の各出力配線に電気的に接続される。このため、ボイスコイル６には、その一対のプラス用リード線６ｅ及びマイナス用リード線６ｆを通じてアンプ側から信号及び電力（以下、単に「音声電流」とも称する）が夫々入力される。なお、かかる構成を有するボイスコイル６では音声電流が周回するように流れるため、第１の平行部６ａに流れる音声電流の向きと、第２の平行部６ｂに流れる音声電流の向きとは相対的に逆になる。
【００４２】
以上に述べたスピーカー装置１００において、アンプ側から出力された音声電流は、ボイスコイル６の一対のプラス用リード線６ｅ及びマイナス用リード線６ｆを通じて、当該ボイスコイル６へ入力される。これにより、第１の磁気ギャップ７０ａ内及び第２の磁気ギャップ７０ｂ内で、それぞれボイスコイル６の第１の平行部６ａ及び第２の平行部６ｂに駆動力が発生する。ここで、第１の磁気ギャップ７０ａ内に生じる磁力の大きさと、第２の磁気ギャップ７０ｂ内に生じる磁力の大きさとは、上述したように同一の大きさに設定されていると共に、第１の平行部６ａと第２の平行部６ｂとには同一の大きさの音声電流が相対的に逆方向に流れる。このため、第１の平行部６ａと第２の平行部６ｂとはフレミングの左手の法則に基づき同一の駆動力で且つ同一の方向に振動する。具体的には、第１の平行部６ａは一対の第１のプレート１ａ及び１ｂの厚さ方向の中心を通る直線Ｌ２を基準に、また、第２の平行部６ｂは一対の第２のプレート３ａ及び３ｂの厚さ方向の中心を通る直線Ｌ３を基準に、それぞれスピーカー装置１００の中心軸Ｌ１方向に同一の駆動力で且つ同一の方向に振動する。こうして、スピーカー装置１００は、振動板５の放音部５２を通じて音響放射方向Ｙ１に音波を放射する。
【００４３】
（ボイスコイルのリード線の引き出し方法）
次に、図１（ａ）、図５及び図６を参照して、本実施例に係るボイスコイル６の一対のプラス用リード線６ｅ及びマイナス用リード線６ｆの引き出し方法について説明する。
【００４４】
図５は、本実施例に係るスピーカー装置１００の音響特性を示すグラフである。図５において、縦軸は音圧（ｄＢ）を、また、横軸は周波数（Ｈｚ）を夫々示す。図６は、後述する理由によって、逆共振発生時の振動板５の振動状態を示す斜視図である。
【００４５】
本実施例では、振動板５が細長形状に形成されており、上記した理由より、各第２の放音部５２ｂの径方向の長さが各第１の放音部５２ａの径方向の長さより大きく、換言すれば、各第２の放音部５２ｂのロール幅ｄ２が各第１の放音部５２ａのロール幅ｄ１より大きく、さらに、各第２の放音部５２ｂの曲率半径Ｒ２が各第１の放音部５２ａの曲率半径Ｒ１より大きい。
【００４６】
このため、各第２の放音部５２ｂは、各第１の放音部５２ａより振動し難い形状となっており、振動板５の振動時に、各第１の放音部５２ａは、その全体に亘って均一に振動され易い一方、各第２の放音部５２ｂは、剛性及び強度が低く、共振を起こし易い。
【００４７】
このように、各第１の放音部５２ａが、その全体に亘って均一に振動され易いのは、各第１の放音部５２ａがボイスコイル設置部５１の略全体を挟む位置に設けられ、剛性の高いボイスコイル６によって支持されており、また、各第１の放音部５２ａは各第２の放音部５２ｂよりロール幅が小さいからである。これに対して、各第２の放音部５２ｂが、剛性及び強度が低く、共振を起こし易いのは、各第２の放音部５２ｂがボイスコイル６の存在しない位置に配置されており、各第１の放音部５２ａに比べてボイスコイル６による支持力が弱く、各第２の放音部５２ｂが各第１の放音部５２ａよりロール幅が大きいからである。
【００４８】
そのような理由によって、万が一、各第２の放音部５２ｂに共振が生じた場合、この振動板５では、図６に示すように、各第２の放音部５２ｂの振幅（振動の大きさ）がボイスコイル６の存在する各第１の放音部５２ａの振幅よりも大きくなり、さらに、各第２の放音部５２ｂの振動方向がボイスコイル６及び各第１の放音部５２ａの振動方向と逆方向へ振動する、「逆共振」現象が生じる、即ち、図６において、例えばボイスコイル６及び各第１の放音部５２ａが−Ｚ方向に移動した場合には、各第２の放音部５２ｂは＋Ｚ方向に移動し、第２の放音部５２ｂの移動方向と、ボイスコイル６及び各第１の放音部５２ａの移動方向との位相が１８０[°]ずれる現象が生じる。このような逆共振現象は、図５に示すスピーカー装置１００の音響特性を示すグラフＧ１の破線領域Ａ１に示すように、中高音域（本例では、５ＫＨｚ〜１０ＫＨｚの間）において大きなディップとなって現れる。
【００４９】
よって、もし、ボイスコイル６の一対のプラス用リード線６ｅ及びマイナス用リード線６ｆが、図１（ａ）及び図６の破線部分に示すように、ボイスコイル６側から振動板５の外側へ、その長軸方向Ｌａｘに沿って各第２の放音部５２ｂを横断する方向に引き出されている場合には、そのような逆共振による振動が一対のプラス用リード線６ｅ及びマイナス用リード線６ｆにも伝播する。これにより、ボイスコイル６からの、一対のプラス用リード線６ｅ及びマイナス用リード線６ｆの各々の引き出し部分（図示略）には、図６において、＋Ｚ方向の力と、−Ｚ方向の力とによる剪断力が作用して、当該一対のプラス用リード線６ｅ及びマイナス用リード線６ｆの各々が断線に至る虞がある。
【００５０】
一方、ボイスコイル６の一対のプラス用リード線６ｅ及びマイナス用リード線６ｆが、図１（ａ）及び図６の実線部分に示すように、ボイスコイル６が形成する平面Ｓ１に対して略垂直な方向であって、ボイスコイル６側から振動板５の外側へ、その短軸方向Ｓａｘに沿って各第１の放音部５２ａを横断する方向に引き出されている場合には、そのような逆共振による振動が一対のプラス用リード線６ｅ及びマイナス用リード線６ｆへは伝播しない。これは、一対のプラス用リード線６ｅ及びマイナス用リード線６ｆが、各第１の放音部５２ａを横断する方向に引き出されており、それらはボイスコイル６及び各第１の放音部５２ａと共に同一の方向に振動するからである。
【００５１】
なお、振動板５がスピーカー装置１００の中心軸Ｌ１方向に振動することにより、その振動が一対のプラス用リード線６ｅ及びマイナス用リード線６ｆへも伝播されるが、この振動は固有振動などの比較的緩やかな振動である。よって、一対のプラス用リード線６ｅ及びマイナス用リード線６ｆの各々の引き出し部分（図示略）には、上記した剪断力が作用せず、断線するまでには至らない。
【００５２】
そこで、本発明では、一対のプラス用リード線６ｅ及びマイナス用リード線６ｆは、ボイスコイル６が形成する平面Ｓ１に対して略垂直な方向であって、ボイスコイル６側から振動板５の外側へ、その短軸方向Ｓａｘに沿って、第２の放音部５２ｂよりも曲率半径及びロール幅の小さな第１の放音部５２ａを横断する方向へ引き出す。
【００５３】
本実施例では、図１（ａ）に示すように、プラス用リード線６ｅとマイナス用リード線６ｆは、ボイスコイル６側から振動板５の外側へ、相互に逆方向となるように引き出している。これにより、振動板５の振動時に、一対のプラス用リード線６ｅ及びマイナス用リード線６ｆは、ボイスコイル６及び各第１の放音部５２ａと共に同一の方向に振動するため、一対のプラス用リード線６ｅ及びマイナス用リード線６ｆの各々の引き出し部分（図示略）に対して剪断力が作用することはなく、その各々が断線に至ることはない。よって、一対のプラス用リード線６ｅ及びマイナス用リード線６ｆの断線防止を図ることができる結果、スピーカー装置１００の信頼性が向上する。また、一対のプラス用リード線６ｅ及びマイナス用リード線６ｆには逆共振による剪断力が作用しないので、振動板５を大きく振動させることができ、ボイスコイル６への入力信号を大きくすることが可能となる。
【００５４】
好適な例では、一対のプラス用リード線６ｅ及びマイナス用リード線６ｆは、ある程度の弛みを付与した状態で、第１の放音部５２ａを横断する方向に引き出すようにするのが好ましい。これにより、第２の放音部５２ｂが大きく振幅した時でも、一対のプラス用リード線６ｅ及びマイナス用リード線６ｆの疲労による断線が起こり難くなる。
【００５５】
なお、本発明では、一対のプラス用リード線６ｅ及びマイナス用リード線６ｆは、ボイスコイル６のどの位置から引き出してもよく、例えば、図７（ａ）に示すように、プラス用リード線６ｅとマイナス用リード線６ｆの引き出し方向は相互に逆方向に、且つ、ボイスコイル６の一端側から振動板５の外側へ、その短軸方向Ｓａｘに沿って第１の放音部５２ａを横断する方向に引き出すようにしても構わない。或いは、図７（ｂ）に示すように、プラス用リード線６ｅとマイナス用リード線６ｆの引き出し方向は、それぞれ同一の方向に、且つ、ボイスコイル６側から振動板５の外側へ、その短軸方向Ｓａｘに沿って第１の放音部５２ａを横断する方向に引き出すようにしても構わない。このように、ボイスコイル６の片側から振動板５の外側に向かって、一対のプラス用リード線６ｅ及びマイナス用リード線６ｆを引き出すことにより、それらのリード線を当該片側に束ねられるという利点を有する。
【００５６】
[変形例]
上記の実施例は、凹形状のボイスコイル設置部５１を有する振動板５を備え、そのボイスコイル設置部５１内にボイスコイル６を配置する構造を有するスピーカー装置１００に対して本発明を適用したが、これに限定されず、ボイスコイル６を振動板５の所定部分に吊り下げる構造を有するスピーカー装置に対しても本発明を適用することができる。
【００５７】
図８は、そのような構造を有する変形例に係るスピーカー装置２００の断面図を示す。
【００５８】
変形例と上記の実施例とを比較すると、その両者は、振動板５に対するボイスコイル６の支持構造が異なると共に、ボイスコイル６から振動板５の外側への、一対のプラス用リード線６ｅ及びマイナス用リード線６ｆの引き回し方法が若干異なり、それ以外の点は同様である。そのため、以下では、上記の実施例と同一の要素については同一の符号を付し、その説明は簡略化又は省略する。
【００５９】
即ち、変形例では、振動板５ｗは、上記の実施例のようなボイスコイル６を落とし込んで支持する凹形状のボイスコイル設置部５１を有しなく、その代わりに、ボイスコイル６を吊り下げた状態で支持する断面凹形状のボイスコイル支持部５４を有する。
【００６０】
具体的には、ボイスコイル支持部５４は、振動板５ｗの短軸方向Ｓａｘの中央部に設けられ、振動板５ｗの長軸方向Ｌａｘに延在してなる。そして、ボイスコイル６の第２の平行部６ｂは、音響放射方向Ｙ１に対して逆側に位置する、ボイスコイル支持部５４の下面側に取り付けられ、第２の磁気ギャップ７０ｂ内に配置されていると共に、ボイスコイル６の第１の平行部６ａは、第１の磁気ギャップ７０ａ内に配置されている。こうして、ボイスコイル６は振動板５に吊り下げられた状態で支持されている。
【００６１】
特に、一対のプラス用リード線６ｅ及びマイナス用リード線６ｆの各々は、音響放射方向Ｙ１に対して逆側に位置した、振動板５の各第１の放音部５２ａの背面側に沿い、第１の放音部５２ａを横断して配置されている。また、プラス用リード線６ｅ及びマイナス用リード線６ｆは相互に逆方向となるように引き出され、且つ、ボイスコイル６が形成する平面Ｓ１に対して略垂直な方向であって、ボイスコイル６側から振動板５の外側へ向かって、振動板５の短軸方向Ｓａｘに沿って、引き出されている。なお、変形例では、上記した図７（ａ）及び（ｂ）に示す構成例で説明したリード線の引き出し方法を採用することもできる。
【００６２】
これにより、振動板５の振動時に、一対のプラス用リード線６ｅ及びマイナス用リード線６ｆは、ボイスコイル６及び各第１の放音部５２ａと共に同一の方向に振動するため、一対のプラス用リード線６ｅ及びマイナス用リード線６ｆの各々の引き出し部分（図示略）に対して剪断力が作用することはなく、その各々が断線に至ることはない。よって、一対のプラス用リード線６ｅ及びマイナス用リード線６ｆの断線防止を図ることができる結果、スピーカー装置２００の信頼性が向上する。また、一対のプラス用リード線６ｅ及びマイナス用リード線６ｆには逆共振による剪断力が作用しないので、振動板５を大きく振動させることができ、ボイスコイル６への入力信号を大きくすることが可能となる。
【００６３】
また、本発明は、曲率半径及びロール幅の異なる２種類の放音部を有する振動板に対して好適に適用可能であるため、図９（ａ）に示すように、上記実施例の振動板５に対して、ふくらみ部分５１ｂを設けることは必須ではない。即ち、図９（ａ）に示すように、上記実施例の振動板５の構成を基本としつつ、ボイスコイル設置部５１に円状の平面形状を有するふくらみ部分５１ｂを設けない振動板５ｘに対して本発明を適用することもできる。或いは、図９（ｂ）に示すように、上記実施例の振動板５の構成を基本としつつ、各第２の放音部５２ｂに対してリブ５２ｂａを有しない振動板５ｙに対して、本発明を適用しても構わない。或いは、図９（ｃ）に示すように、上記実施例の振動板５の構成を基本としつつ、ボイスコイル設置部５１に円状の平面形状を有するふくらみ部分５１ｂが設けられていなく、且つ、各第２の放音部５２ｂに対してリブ５２ｂａを有しない振動板５ｚに対して、本発明を適用しても構わない。
【００６４】
また、上記の実施例等では、所定の形状を有する振動板５等を有し、且つボイスコイル６の一対のプラス用リード線６ｅ及びマイナス用リード線６ｆに対して、本発明の引き出し方法を適用したものであるが、これに限らず、本発明では、所定の形状を有する振動板５等を有し、且つボイスコイル６の一対のプラス用リード線６ｅ及びマイナス用リード線６ｆと電気的に接続された配線（図示略）に対して、本発明の引き出し方法を適用しても構わない。
【００６５】
また、上記の実施例では、振動板５は、短軸及び長軸を有する細長形状、並びに角丸四角状又は長円状の平面形状を有していたが、これに限らず、本発明では、振動板は、短軸及び長軸を有する細長形状、並びに長方形、楕円形など各種の平面形状を有していても構わない。
【００６６】
その他、本発明では、その趣旨を逸脱しない範囲において、種々の変形をすることが可能である。
【００６７】
[携帯電話機への適用例]
次に、本発明の実施例に係るスピーカー装置１００（又は上記した変形例に係るスピーカー装置等）を、携帯電話機内の受信口及着信部に適用した例について説明する。
【００６８】
図１０は、この携帯電話機の構成を示す概略平面図である。同図に例示の携帯電話機８００は、ケース８００ｇの表側に設けられた、複数の操作ボタン８００ａ、表示部８００ｂ、受話口８００ｃ及び送話口８００ｄと、ケース８００ｇの裏側に設けられ、着信アラーム音を鳴らす機能を有する着信部８００ｅと、ケース８００ｇの一側面に設けられた送受信アンテナ８００ｆと、を備えて構成される。以上の構成を有する携帯電話機８００では、スピーカー装置１００がケース８００ｇ内に搭載され、例えば受話口８００ｃ及び着信部８００ｅに対応する位置に各々設けられる。
【００６９】
また、図１１に示されるような、携帯電話機９００のケース８００ｇの側面側に対応する位置にスピーカー装置１００を設けることも可能である。
【００７０】
なお、本発明では、このような携帯電話機以外にも、各種の携帯機器に対して本発明のスピーカー装置を好適に適用することできる。かかるスピーカー装置を、このような携帯電話機に代表される携帯機器に用いることにより、当該携帯機器の薄型化及び小型化に寄与し得る。
【図面の簡単な説明】
【００７１】
【図１】本発明の実施例に係るスピーカー装置の正面図、背面図及び側面図。
【図２】本実施例に係るスピーカー装置の中心軸を通る位置で切断した断面図。
【図３】本実施例に係るボイスコイルの平面図。
【図４】本実施例に係る振動板の要素である一対の第１の放音部又は一対の第２の放音部の各断面図。
【図５】本実施例に係るスピーカー装置の音響特性を示すグラフ。
【図６】本実施例に係る逆共振発生時の振動板の振動状態を示す斜視図。
【図７】他の各種実施例に係るボイスコイルのリード線の引き出し方法を有するスピーカー装置の正面図。
【図８】変形例に係るリード線の引き出し方法等を有するスピーカー装置の断面図。
【図９】各種の変形例に係る振動板の正面図。
【図１０】本発明のスピーカー装置を用いた携帯電話機の平面図。
【図１１】本発明のスピーカー装置を用いた他の携帯電話機の平面図。
【符号の説明】
【００７２】
５  振動板
６  ボイスコイル
６ｅ  プラス用リード線
６ｆ  マイナス用リード線
３０  磁気回路
３１  振動系部材
５１  ボイスコイル設置部
５１ａ、５４  ボイスコイル支持部
５２  放音部
５２ａ  第１の放音部
５２ｂ  第２の放音部
７０ａ  第１の磁気ギャップ
７０ｂ  第２の磁気ギャップ
１００、２００  スピーカー装置
８００、９００  携帯電話機
【図１】
2008109565.tif 000003
【図２】
2008109565.tif 000004
【図３】
2008109565.tif 000005
【図４】
2008109565.tif 000006
【図５】
2008109565.tif 000007
【図６】
2008109565.tif 000008
【図７】
2008109565.tif 000009
【図８】
2008109565.tif 000010
【図９】
2008109565.tif 000011
【図１０】
2008109565.tif 000012
【図１１】
2008109565.tif 000013